(57)【要約】  患者の病状に適応できる建築システム（３０、２３０、３３０）は、空所（３４、３６、２３４、２３６）があるヘッドウォールユニット（３２、２３２）と、天井ユニット（３８、２３８、３３８）と、天井ユニット（３８、２３８、３３８）に結合している柱（４０、４２）とを有する。柱（４０、４２）は、柱（４０、４２）の大部分が空所（３４、３６、２３４、２３６）内に配置されている第一位置と、柱（４０、４２）が空所（３４、３６、２３４、２３６）外に配置されている第二位置との間で移動可能である。様々な種類の患者看護装置も開示される。患者看護装置は、天井ユニット（３８、２３８、３３８）、ヘッドウォールユニット（３２、２３２）、或いは柱（４０、４２）の一つ以上に含まれているか、或いは結合可能である。
2005515800.tif 000002
【特許請求の範囲】
【請求項１】
壁及び天井を有する患者の部屋にある病院用ベッドに支持されている患者の病状（patient acuity level）に適応可能な建築システム（architectural system）であって、
前記建築システムは、
前記壁に結合している、空所を有するウォールユニットと、
前記天井に結合している天井ユニットと、
前記天井ユニットに結合している柱と
を備え、
前記柱は、前記柱の大部分が前記空所内に配置される第一位置と、前記柱が前記空所外に配置される第二位置との間で移動する。
【請求項２】
請求項１に記載の建築システムであって、
前記柱は、垂直部材と、前記垂直部材に結合している患者看護装置（patient care device）とを含む。
【請求項３】
請求項２に記載の建築システムであって、
前記患者看護装置は、前記柱が前記第一位置にあるときに前記空所内に配置されているＩＶラックを備える。
【請求項４】
請求項２に記載の建築システムであって、
前記患者看護装置は複数の医療サービスアウトレット（medical service outlet）を有するハウジングを備え、
前記ハウジングは、前記柱が前記第一位置にあるときに前記空所内に配置される。
【請求項５】
請求項４に記載の建築システムであって、
前記医療サービスアウトレットの少なくとも一つは、医療ガスアウトレットである。
【請求項６】
請求項４に記載の建築システムであって、
前記医療サービスアウトレットの少なくとも一つは、電気コンセントである。
【請求項７】
請求項４に記載の建築システムであって、
前記ウォールユニットは、前記柱が前記第一位置にあるときに複数の前記医療サービスアウトレットへのアクセスを防止する閉位置と、前記柱が前記第一位置にあるときに前記医療サービスアウトレットへアクセスできる開位置と、の間で移動可能であるドアを有する。
【請求項８】
請求項２に記載の建築システムであって、
前記患者看護装置は、前記柱が前記第一位置にあるときに前記空所内に配置されているディスプレイスクリーンを備える。
【請求項９】
請求項８に記載の建築システムであって、
前記ウォールユニットは、前記柱が前記第一位置にあるときに前記ディスプレイスクリーンが見えないように隠すため前記ディスプレイスクリーンを覆う閉位置と、前記柱が前記第一位置のときに前記ディスプレイスクリーンが見えるように前記ディスプレイスクリーンを覆わない開位置との間で移動可能であるドアを有する。
【請求項１０】
請求項２に記載の建築システムであって、
前記患者看護装置は、前記柱が前記第二位置のときに前記垂直部材に対して軸の周りで回転可能である。
【請求項１１】
請求項１０に記載の建築システムであって、
前記軸は垂直で前記垂直部材を介して延在する。
【請求項１２】
請求項１に記載の建築システムであって、
前記天井ユニットはトラック部材（track member）を備え、
前記柱は、前記柱が前記第一と第二位置との間で移動するにつれて前記トラック部材に沿って移動する可動台を備える。
【請求項１３】
請求項１２に記載の建築システムであって、
前記トラック部材の一部は前記空所の上にある。
【請求項１４】
請求項１２に記載の建築システムであって、
前記トラック部材は長形の第一と第二ローラー係合面を備え、
前記第一ローラー係合面は前記第二ローラー係合面と平行であり、
前記可動台は、ハウジングと前記ハウジングに係合した複数のローラーとを備え、
複数の前記ローラーの少なくとも一つは前記第一ローラー係合面と係合して、
複数の前記ローラーの少なくとも別の一つは前記第二ローラー係合面と係合する。
【請求項１５】
請求項１に記載の建築システムであって、
前記天井ユニットは、ハウジングと、前記ハウジングに結合している照明器とを備える。
【請求項１６】
請求項１に記載の建築システムであって、
前記天井ユニットは、ハウジングと、前記ハウジングに結合しているディスプレイスクリーンとを備える。
【請求項１７】
請求項１に記載の建築システムであって、
前記天井ユニットは、複数の開口を有するハウジングを備え、
前記天井ユニットは、複数の前記開口から空気を下向きに出して少なくとも一つのエアカーテンを作るように作用するエアカーテン発生器（air curtain generator）を備える。
【請求項１８】
請求項１７に記載の建築システムであって、
前記ハウジングは空気取入れ口を有し、
前記天井ユニットは前記空気取入れ口を覆う通気性フィルター（air-permeable filter）を備え、
前記エアカーテン発生器の作動により前記フィルターを介して患者の前記部屋から空気を吸い込む。
【請求項１９】
請求項１に記載の建築システムであって、
前記柱は
医療サービスアウトレットを備え、
前記医療サービスアウトレットから、前記柱と前記天井ユニットとを介して通してある医療サービスデリバリーライン（medical service delivery line）を更に備える。
【請求項２０】
請求項１に記載の建築システムであって、
前記天井ユニットから下方に垂れ下がるプライバシーカーテンを更に備え、
前記ウォールユニットはコンパートメントを有し、
前記プライバシーカーテンは、前記プライバシーカーテンの大部分が前記コンパートメント内に配置される収納位置と、前記プライバシーカーテンの大部分が前記コンパートメント外に配置される使用位置との間で移動可能である。
【請求項２１】
請求項１に記載の建築システムであって、
前記天井ユニットに結合している、前記天井ユニットから下方に垂れ下がる使用位置と前記天井ユニットの中へ引き込んだ収納位置との間で移動可能なプライバシーカーテンを更に備える。
【請求項２２】
壁及び天井を有する患者の部屋にある病院用ベッドに支持されている患者の病状に適応可能な建築システムであって、
前記建築システムは、
前記壁に結合している、第一空所と第二空所とを有するウォールユニットと、
前記天井に結合している第一トラック部材と、
前記天井に結合している第二トラック部材と、
前記第一トラック部材に結合している第一柱と、
前記第二トラック部材に結合している第二柱と、
を備え、
前記第一柱は、前記第一柱の少なくとも大部分が前記第一空所内に配置される第一位置と、前記第一柱が前記空所外に配置される第二位置との間で移動して、
前記第二柱は、前記第二柱の少なくとも大部分が前記第二空所内に配置される第一位置と、第二柱が前記空所外に配置されて前記病院用ベッドの第二側面に沿った第二位置との間で移動する。
【請求項２３】
請求項２２に記載の建築システムであって、
前記ウォールユニットは、前記第一柱が前記第一位置にあるときに前記第一柱の少なくとも一部へのアクセスを防止する閉位置と、前記第一柱の一部にアクセスできる開位置との間で移動可能である第一ドアを有する。
【請求項２４】
請求項２２に記載の建築システムであって、
前記第一トラック部材は長形であり、
前記第二トラック部材は長形であり、
前記第一トラック部材は前記第二トラック部材と平行である。
【請求項２５】
請求項２２に記載の建築システムであって、
前記第一トラック部材は長形の第一及び第二ローラー係合面を備え、
前記第一ローラー係合面は前記第二ローラー係合面と平行であり、
前記柱は、ハウジングと、前記ハウジングに結合している複数のローラーとを備える可動台を備え、
複数の前記ローラーの少なくとも一つは前記第一ローラー係合面と係合して、
複数の前記ローラーの少なくとも別の一つは前記第二ローラー係合面と係合する。
【請求項２６】
請求項２２に記載の建築システムであって、
前記第一と前記第二トラック部材との間に少なくとも部分的に配置されるキャノピーと、前記キャノピーに結合している照明器とを更に備える。
【請求項２７】
請求項２２に記載の建築システムであって、
前記第一と前記第二トラック部材との間に少なくとも部分的に配置されるキャノピーと、前記キャノピーに結合しているディスプレイスクリーンとを更に備える。
【請求項２８】
請求項２２に記載の建築システムであって、
前記第一と前記第二トラック部材との間に少なくとも部分的に配置されるキャノピーと、前記キャノピーに結合しているエアカーテン発生装置（air curtain generation equipment）とを更に備える。
【請求項２９】
天井を有する病室で使用する装置であって、
前記装置は、
前記病室の前記天井に結合するのに適応しているキャノピーと、
前記キャノピーに結合している環境制御装置と
を備える。
【請求項３０】
請求項２９に記載の装置であって、
前記環境制御装置は温度センサを備える。
【請求項３１】
請求項２９に記載の装置であって、
前記環境制御装置は空気性質センサ（air quality sensor）を備える。
【請求項３２】
請求項２９に記載の装置であって、
前記環境制御装置は空気清浄器を備える。
【請求項３３】
請求項２９に記載の装置であって、
前記環境制御装置はアロマテラピー機材を備える。
【請求項３４】
請求項２９に記載の装置であって、
前記キャノピーに結合している動作センサを更に備える。
【請求項３５】
請求項２９に記載の装置であって、
前記キャノピーに結合している近接センサを更に備える。
【請求項３６】
請求項２９に記載の装置であって、
前記環境制御装置は診療用照明器（examination light）を少なくとも一つ備える。
【請求項３７】
請求項２９に記載の装置であって、
前記環境制御装置は読書灯を少なくとも一つ備える。
【請求項３８】
請求項２９に記載の装置であって、
前記キャノピーに結合しているビデオスクリーンを更に備える。
【請求項３９】
患者を治療するために病院内で使用するための移動カートであって、
前記移動カートは、
直立ペデスタル（upstanding pedestal）と、
前記直立ペデスタルの底部に結合している複数の脚と、
複数の前記脚の各脚に結合している複数のホイールと、
を備え、
各々の前記ホイールが結合している各々の前記脚が、前記直立ペデスタルの下から外に延長する第一位置と前記直立ペデスタルの下にしまい込まれた第二位置との間で移動可能である。
【請求項４０】
請求項３９に記載の移動カートであって、
前記直立ペデスタルに結合しているＩＶポールを少なくとも一つ更に備える。
【請求項４１】
請求項３９に記載の移動カートであって、
前記直立ペデスタルは、上壁と、前記上壁に結合しているハンドルとを有し、
前記ハンドルは前記移動カートを操作するために握ることが可能である。
【請求項４２】
請求項３９に記載の移動カートであって、
複数の前記ホイールの各ホイールは各垂直軸の周りで旋回可能である。
【請求項４３】
請求項３９に記載の移動カートであって、
複数の前記脚の各脚は各垂直軸の周りで旋回可能である。
【請求項４４】
請求項３９に記載の移動カートであって、
前記直立ペデスタルは、複数の患者治療モジュールの少なくとも一つを保持するのに適応しているコンパートメントを有する。
【請求項４５】
請求項３９に記載の移動カートであって、
複数の患者治療モジュールの少なくとも一つは注入ポンプである。
【請求項４６】
請求項３９に記載の移動カートであって、
複数の患者治療モジュールの少なくとも一つは換気制御ユニットである。
【請求項４７】
請求項３９に記載の移動カートであって、
複数の患者治療モジュールの少なくとも一つはガス制御ユニットである。
【請求項４８】
請求項３９に記載の移動カートであって、
複数の患者治療モジュールの少なくとも一つはバイタルサインモニタである。
【請求項４９】
請求項３９に記載の移動カートであって、
複数の患者治療モジュールの少なくとも一つは患者の生理学的な状態を監視するように構成されている。
【請求項５０】
請求項３９に記載の移動カートであって、
複数の前記患者治療モジュールの少なくとも一つと接続する車載コンピュータシステム（on-board computer system）を更に備える。
【請求項５１】
請求項５０に記載の移動カートであって、
受信機と送信機とを更に備え、
前記車載コンピュータシステムは、前記受信機と前記送信機とに接続する。
【請求項５２】
請求項５０に記載の移動カートであって、
前記実装されたコンピュータシステムは、複数の前記患者治療モジュールの少なくとも一つから患者データを無線で送信するように構成されている。
【請求項５３】
請求項５０に記載の移動カートであって、
前記車載コンピュータシステムは、外部コンピュータネットワークと前記車載コンピュータシステムとの間にハードウェア的有線接続（hard-wire connection）がなされるまで、複数の前記患者治療モジュールの少なくとも一つからの患者データを記憶するように構成されている。
【請求項５４】
請求項５０に記載の移動カートであって、
前記車載コンピュータシステムは、外部コンピュータネットワークと前記車載コンピュータとの間に光学的接続ができるまで、複数の前記患者治療モジュールの少なくとも一つからの患者データを記憶するように構成されている。
【請求項５５】
請求項５０に記載の移動カートであって、
前記車載コンピュータシステム及び複数の前記患者治療モジュールの少なくとも一つに電力を供給するように構成されている電池を更に備える。
【請求項５６】
請求項３９に記載の移動カートであって、
複数の前記患者治療モジュールの少なくとも一つは前記直立ペデスタルに収容される医療ガスタンクを備え、
前記直立ペデスタルに結合しており、それを通じて前記医療ガスタンクからの医療ガスが利用可能とされているサービスデリバリーポート（service delivery port）を更に備える。
【請求項５７】
床を有する病室で使用される一セットの装置であって、
前記一セットの装置は、
前記床に支持されている病院用ベッドと、
前記病室につり下げられているアームアッセンブリと、
前記病院用ベッドと前記アームアッセンブリとに選択的に結合が可能であり、前記病院用ベッドと前記アームアッセンブリとから選択的に結合が解除可能である移動カートと、
を備え、
前記移動カートは、前記移動カートが前記病院用ベッドに結合して前記移動カートが前記アームアッセンブリに結合しているときに、前記床から離れているホイールを有し、
前記移動カートは、前記移動カートが前記病院用ベッドから結合が解除されて前記アームアッセンブリから結合が解除されているときに、前記床に係合しているホイールを有する。
【請求項５８】
請求項５７に記載の一セットの装置であって、
前記移動カートは、ペデスタルと、前記ペデスタルに結合している少なくとも一つのＩＶポールとを備える。
【請求項５９】
請求項５７に記載の一セットの装置であって、
前記移動カートは上壁を有するペデスタルを備え、
前記移動カートは前記上壁に結合しているハンドルを有し、
前記ハンドルは前記移動カートを操作するために握ることが可能である。
【請求項６０】
請求項５７に記載の一セットの装置であって、
前記移動カートは、ペデスタルと、前記ペデスタルに結合している患者治療モジュールとを備える。
【請求項６１】
請求項６０に記載の一セットの装置であって、
前記ペデスタルは前記患者治療モジュールを保持するのに適応しているコンパートメントを有する。
【請求項６２】
請求項６０に記載の一セットの装置であって、
前記患者治療モジュールは注入ポンプである。
【請求項６３】
請求項６０に記載の一セットの装置であって、
前記患者治療モジュールは換気制御ユニットである。
【請求項６４】
請求項６０に記載の一セットの装置であって、
前記患者治療モジュールはガス制御ユニットである。
【請求項６５】
請求項６０に記載の一セットの装置であって、
前記患者治療モジュールはバイタルサインモニタである。
【請求項６６】
請求項６０に記載の一セットの装置であって、
前記患者治療モジュールは患者の生理学的状態を監視するように構成されている。
【請求項６７】
請求項６０に記載の一セットの装置であって、
前記移動カートは、前記患者治療モジュールと接続する車載コンピュータシステムを有する。
【請求項６８】
請求項６０に記載の一セットの装置であって、
前記移動カートは受信機を有し、
前記移動カートは送信機を有し、
前記車載コンピュータシステムは前記受信機と前記送信機とに接続する。
【請求項６９】
請求項６０に記載の一セットの装置であって、
前記車載コンピュータシステムは、前記患者治療モジュールから患者データを無線で送信するように構成されている。
【請求項７０】
請求項６０に記載の一セットの装置であって、
前記車載コンピュータシステムは、外部コンピュータネットワークと前記車載コンピュータシステムとの間にハードウェア的有線接続がなされるまで、前記患者治療モジュールからの患者データを記憶するように構成されている。
【請求項７１】
請求項６０に記載の一セットの装置であって、
前記車載コンピュータシステムは、外部コンピュータネットワークとの間に光学的接続ができるまで、複数の前記患者治療モジュールの少なくとも一つから患者データを記憶するように構成されている。
【請求項７２】
請求項６０に記載の一セットの装置であって、
前記移動カートは、前記実装されたコンピュータシステムと前記患者治療モジュールとに電力を供給するように構成されている電池を有する。
【請求項７３】
請求項６０に記載の一セットの装置であって、
前記患者治療モジュールは前記ペデスタルに収容されている医療ガスタンクを備え、
前記移動カートは、前記ペデスタルに結合しているサービスデリバリーポートを有し、
前記医療ガスタンクからの医療ガスは前記サービスデリバリーポートを介して利用可能とされている。
【請求項７４】
請求項５７に記載の一セットの装置であって、
前記アームアッセンブリは複数の間接式アーム部分を有する。
【請求項７５】
請求項５７に記載の一セットの装置であって、
前記アームアッセンブリは垂直の柱を備える。
【請求項７６】
請求項７５に記載の一セットの装置であって、
前記垂直柱がそれに沿って移動可能であるトラック部材を更に備える。
【請求項７７】
一セットの病院の装置であり、
患者看護装置を保持して、複数のホイールを有する移動カートと、
前記移動カートを収納する空所を含み形成されたヘッドウォールと
を備えて、
前記ヘッドウォールは突起面（ledge surface）を有し、
前記移動カートが前記空所に収納されたときに、前記移動カートの複数の前記ホイールが前記突起面と係合する。
【請求項７８】
請求項７７に記載の一セットの病院用装置であって、
前記ヘッドウォールの一部は前記空所の上にある。
【請求項７９】
請求項７７に記載の一セットの病院用装置であって、
前記移動カートは、前記ペデスタルと前記ペデスタルに結合しているＩＶポールとを有し、
前記空所は、前記ペデスタルと前記ＩＶポールとを収容する寸法である。
【請求項８０】
請求項７７に記載の一セットの病院用装置であって、
前記移動カートは、ペデスタルと前記ペデスタルに結合している複数の脚とを有し、
複数の前記ホイールの各ホイールは複数の前記脚の各脚と結合している。
【請求項８１】
請求項８０に記載の一セットの病院用装置であって、
複数の前記脚は、そこに結合している前記ホイールと共に、前記ペデスタルの下から外に延長する第一位置と前記ペデスタルの下にしまい込まれた第二位置との間でそれぞれ移動可能である。
【請求項８２】
請求項７７に記載の一セットの病院用装置であって、
前記ヘッドウォールは、パネルと、それを通じて医療サービスを利用することができる、前記パネルに結合している医療サービスアウトレットを少なくとも一つ有する。
【請求項８３】
装置であって、
病室の天井からつり下げるのに適応しているアームアッセンブリと、
前記病室の床の上で前記アームアッセンブリによって支持されるように前記アームアッセンブリに結合しているオーバーベッドテーブルと、
を備える。
【請求項８４】
請求項８３に記載の装置であって、
前記オーバーベッドテーブルは概して水平なテーブル面を有し、
前記アームアッセンブリは、前記病室で前記オーバーベッドテーブルを再度配置することを可能にするように構成されて、
前記オーバーベッドテーブルが再度配置されると、前記テーブル面は床から概して一定の高さに留まる。
【請求項８５】
請求項８３に記載の装置であって、
前記アームアッセンブリに結合している制御パネルを更に備え、
前記制御パネルはユーザー入力（user input）を有する。
【請求項８６】
請求項８５に記載の装置であって、
前記ユーザー入力は、前記病室の照明を制御するのに用いることができる。
【請求項８７】
請求８５に記載の装置であって、
前記ユーザー入力は、前記病室の室温を制御するのに用いることができる。
【請求項８８】
請求項８５に記載の装置であって、
前記ユーザー入力は、前記病室に配置されているテレビの機能の少なくとも一つを制御するのに用いることができる。
【請求項８９】
請求項８５に記載の装置であって、
前記ユーザー入力は、ナースコール信号を送るのに用いることができる。
【請求項９０】
請求項８５に記載の装置であって、
前記制御パネルはビデオ画像が表示されるスクリーンを有する。
【請求項９１】
請求項８５に記載の装置であって、
前記制御パネルはインターネットを介してアクセスした画像が表示されるスクリーンを有する。
【請求項９２】
請求項８５に記載の装置であって、
前記制御パネルは患者のスケジュールが表示されるスクリーンを有する。
【請求項９３】
請求項８５に記載の装置であって、
前記制御パネルは教育情報が表示されるスクリーンを有する。
【請求項９４】
請求項８５に記載の装置であって、
前記制御パネルは患者の料金請求情報（billing information）が表示されるスクリーンを有する。
【請求項９５】
請求項８５に記載の装置であって、
前記制御パネルはビデオ会議画像が表示されるスクリーンを有する。
【請求項９６】
請求項８５に記載の装置であって、
前記制御パネルは前記オーバーベッドテーブルの上に配置される。
【請求項９７】
請求項８５に記載の装置であって、
前記制御パネルはタッチスクリーンを備え、
前記ユーザー入力は前記タッチスクリーン上の領域を成す。
【請求項９８】
請求項８３に記載の装置であって、
電話を更に備えて、
前記オーバーベッドテーブルは凹部を有し、
前記電話は、前記凹部内にある受話器を有する。
【請求項９９】
請求項８３に記載の装置であって、
前記オーバーベッドテーブルに結合しているハウジングと、
前記テーブルに結合している医療サービスアウトレットと、
前記医療サービスアウトレットから、前記ハウジングを介して、前記アームアッセンブリを介して配線されているサービスデリバリーラインを更に備える。
【請求項１００】
請求項９９に記載の装置であって、
前記ハウジングは前記オーバーベッドテーブルから下方に延長して、前記床から離れている底部で終端する。
【請求項１０１】
請求項８３に記載の装置であって、
前記オーバーベッドテーブルに結合しているハウジングと、前記ハウジングに結合している患者監視モジュールとを更に備え、
前記患者監視モジュールは、患者の生理学的状態を示す患者データ信号を受信するように構成されている。
【請求項１０２】
装置であって、
病室の天井に取り付けられるのに適応しているハブユニットと、
前記ハブユニットに結合しているアームアッセンブリと、
前記アームアッセンブリに結合しているオーバーベッドテーブルと、
前記アームアッセンブリの一つと前記オーバーベッドテーブルとに結合しているハウジングと
を備え、
前記ハウジングは、医療サービスアウトレット及び患者監視モジュールのうちの一つを保持する。
【請求項１０３】
請求項１０２に記載の装置であって、
前記ハブユニットは、
上部分と、
下部分と、
前記上部分と前記下部分との間に形成される環状溝穴と、
を備え、
前記アームアッセンブリは、前記溝穴内の前記第一及び第二部分に対して回転可能な第一アーム部分（segment）を備える。
【請求項１０４】
請求項１０３に記載の装置であって、
前記第一アーム部分は前記溝穴から延長して遠位端で終わり、
前記アームアッセンブリは、前記第一アーム部分の前記遠位端から下方に延長する第二アーム部分を備える。
【請求項１０５】
請求項１０４に記載の装置であって、
前記オーバーベッドテーブルは前記第二アーム部分の下端部に結合している。
【請求項１０６】
請求項１０４に記載の装置であって、
前記第二アーム、前記オーバーベッドテーブル、及び前記ハウジングは、前記第一アーム部分に対してユニットとして回転する。
【請求項１０７】
請求項１０４に記載の装置であって、
前記オーバーベッドテーブル及び前記ハウジングは、前記第二アーム部分に対してユニットとして回転する。
【請求項１０８】
請求項１０３に記載の装置であって、
前記ハブユニットは、前記下部分に結合して前記下部分から下方に光を照射するように配置されている複数の照明器を更に含む。
【請求項１０９】
一セットの病院用装置であって、
ヘッドウォールと、
ブランケットと、
前記ヘッドウォールに収容されるユニットと、
前記ブランケットに結合して、前記ユニットに結合しているホースと
を備え、
温度調節媒体（thermoregulation medium）は、ホースを介して前記ブランケットと前記ユニットとの間で移動される。
【請求項１１０】
請求項１０７に記載の一セットの病院用装置であって、
前記温度調節媒体は冷却された液体を備える。
【請求項１１１】
請求項１０９に記載の一セットの病院用装置であって、
前記温度調節媒体は冷却された空気を備える。
【請求項１１２】
請求項１０９に記載の一セットの病院用装置であって、
前記温度調節媒体は暖めた液体を備える。
【請求項１１３】
請求項１０９に記載の一セットの病院用装置であって、
前記温度調節媒体は暖めた空気を備える。
【請求項１１４】
請求項１０９に記載の一セットの病院用装置であって、
前記ブランケットは、前記温度調節媒体が移動する内部通路を有する。
【請求項１１５】
請求項１１４に記載の一セットの病院用装置であって、
前記ブランケットは、前記ブランケットの内部通路から前記温度調節媒体の一部が放出される複数の孔を有する。
【請求項１１６】
請求項１０９に記載の一セットの病院用装置であって、
患者を暖めるときには前記温度調節媒体は暖めた媒体であり、患者を冷やすときには前記温度調節媒体は冷却された媒体である。
【発明の詳細な説明】
【技術分野】
【０００１】
本明細書の開示は、病院で使用されるヘッドウォール、柱、及び天井懸垂型アームアッセンブリ等の建築システムに関し、特に患者の病状に適応可能な建築システムに関する。また特に、本明細書の開示は、医療ガスなどのサービスを患者に提供するように構成された建築システム、及び／又は患者に集中治療サービスを提供するための患者看護装置をサポートするように構成された建築システムに関する。
【背景技術】
【０００２】
＜関連出願への相互参照＞
本願は、２００１年５月２５日出願の米国特許仮出願第６０／２９３，９４９号に対して米国特許法第１１９（ｅ）条に基づく優先権を主張し、同特許出願の開示を本明細書に援用する。
【０００３】
ヘッドウォール、柱、及び天井懸垂型アームアッセンブリなどの建築システムで、医療サービスアウトレットから利用することができる医療ガスを通すシステムは周知である。患者看護装置を取り付けるための手摺、トラック、或いはブラケットと、患者看護装置に電力を提供するための電気コンセントとを有するヘッドウォール、柱、及びアームアッセンブリも周知である。危篤状態の患者は多くの場合病院の集中治療ユニットに入れられるが、安定した状態の患者は多くの場合標準的な患者用の部屋に入れられる。集中治療ユニットにある建築システムは、標準的な患者用の部屋にある建築システムよりも、一般的により多くの患者看護装置を保持して、より多くの種類の医療サービスを提供するように構成されている。
【０００４】
病院にいる重態の患者数及び安定した状態の患者数は時間の経過とともに変動する。従って、ある特定の時には、集中治療室において患者のための場所が不足したり余ったりするかもしれない。更に、特定の時には、標準的な病室が不足したり余ったりするかもしれない。従って、病院がある特定の時に患者の人々の要求に応じることができる柔軟性を持てるように、病状が高、中、低レベルの患者に適応可能な建築システムが必要である。
【発明の開示】
【課題を解決するための手段】
【０００５】
本明細書の開示によると、壁及び天井を有する患者用の部屋にある病院用ベッドに支持されている患者の病状に適応可能な建築システムが提供される。建築システムは壁に結合している、空所を有するウォールユニットと、天井に結合している天井ユニットと、天井ユニットに結合している柱とを備え、柱は、柱の大部分が空所内に配置される第一位置と、柱が空所の外に配置される第二位置との間で移動する。
【０００６】
柱には様々な患者看護器具及び装置が取り付け可能である。このような患者看護装置は、例えば、ＩＶラック、注入ポンプ、換気装置、心拍数モニタ装置、及び患者データ取得装置を含む。例示する実施例では、ガスアウトレット及び電気コンセントなど多数の医療サービスアウトレットが柱に結合している。例示する実施例では、空所を開いたり閉じたりするための多数のドアが、ウォールユニットに結合している。従って、柱が空所内にあるときに、ドアを閉位置に移動して、柱及び柱が保持する装置を見えないように遮蔽して、柱の医療サービスアウトレットへのアクセスを防いでも良い。ドアを開き、柱をヘッドウォールユニットの空所内に残すことで、いくつかの医療サービスアウトレットと柱に保持される装置のいくつかの部分とへのアクセスを可能にする。柱が空所から外に移動すると、全ての医療サービスアウトレットと柱に保持される装置の全ての該当部分とにアクセスできる。
【０００７】
また本明細書の開示によると、一つ以上の装置が結合している天井ユニットが提供される。その装置としては、例えば、読書灯、診療用照明器、ディスプレイスクリーン、エアカーテン生成装置、プライバシーカーテン、温度センサ、空気性質センサ、空気清浄機、アロマテラピー機材、動作センサ、及び近接センサがある。例示する一実施例では、アームアッセンブリが天井ユニットに結合してオーバーベッドテーブルを支持する。アームアッセンブリはオーバーベッドテーブルが病院用ベッドの一側面から病院用ベッドの反対側面へ移動することを可能にする。
【０００８】
本明細書には移動カートが記載されている。例示する実施例では、移動カートは直立ペデスタルと、直立ペデスタルの底面に結合している複数の脚と、複数のホイールとを備える。各ホイールは複数の脚の各脚に結合している。脚とそこに結合しているホイールとは、それぞれ直立ペデスタルの下から外に延長する第一位置と、直立ペデスタルの下にしまい込まれた第二位置との間で移動可能である。
【０００９】
移動カートは、天井取り付け柱或いはアームアッセンブリに取り付け可能である。移動カートはベッドと搬送されるように病院用ベッドにも取り付け可能である。移動カートが柱、アームアッセンブリ、或いはベッドに取り付けられている場合、移動カートのホイールは床から離れている。移動カートを収納するように構成された空所を有するヘッドウォールユニットも記載されている。移動カートは患者看護装置を一つ以上保持しており、患者看護装置とは、例えば、ＩＶポール、注入ポンプ、換気制御ユニット、ガスタンク、ガス制御ユニット、バイタルサインモニタ、車載コンピュータ、受信機、送信機及び電池である。
【００１０】
更に本明細書の開示によると、一セットの病院用装置は、ヘッドウォール、ブランケット、ヘッドウォール内に収納されるユニット、ブランケットとユニットとに結合しているホース、及びブランケットとユニットとの間でホースを介して移動される温度調節媒体を含む。温度調節媒体は、例えば、暖めた空気、冷却した空気、暖めた液体、或いは冷却した液体を含む。いくつかの実施例では、温度調節媒体が暖めた及び冷却した空気であるときには、ブランケットは暖めた空気或いは冷却した空気が放出される複数の孔を有する。
【００１１】
本発明の更なる特徴は、ここに開示されている本発明を実施する最良の形態を例示する図示される実施例の下記の詳細な説明を検討することで、当業者には明確になるであろう。
【発明を実施するための最良の形態】
【００１２】
＝＝＝図面の詳細な説明＝＝＝
本明細書の開示に係る建築システム３０の第一実施例は、図１及び図２に示すように、第一空所３４と第二空所３６と、天井ユニット３８と、第一柱４０と、第二柱４２とを有するヘッドウォールユニット３２を備える。柱４０、４２は天井ユニット３６から下方につり下がり、各柱は各空所３４、３６内に配置されるそれぞれの収納位置と空所３４、３６の外に配置される複数の使用位置との間で独立して移動可能である。ヘッドウォールユニット３２は病室の壁４４に取り付けられるように構成されて、天井ユニット３８は病室の天井４６に取り付けられるように構成されている。
【００１３】
図１〜図４に示すように、病院用ベッド４８は、ベッド４８のヘッドエンド５０がヘッドウォールユニット３２の近くにあり、ベッドのフットエンドがヘッドウォールユニット３２から離れているように、病室に配置されている。柱４０、４２は十分な距離をおいて配置されて、例えば図２及び図４に示すように、空所３４、３６の外に柱４０、４２が配置されると、柱４０、４２の間の空間を病院用ベッド４８が占有することができる。従って、柱４０は、空所３４の外にあるときには病院用ベッド４８の第一側面５４に沿って配置され、柱４２は、空所３６の外にあるときには病院用ベッド４８の第二側面５６に沿って配置される。
【００１４】
各柱４０、４２は患者看護装置を保持して、装置のいくつかは、集中治療を必要としている重態の患者等、病状が重い患者に医療サービスを提供するように構成されている。呼吸を補助するための医療ガス及び静脈内（ＩＶ）輸液を必要としている患者等、病状が中程度の患者に必要な患者看護装置は、一つ或いは両方の柱４０、４２に保持される。病状が中程度の患者の場合には、柱４０、４２は通常それぞれの収納位置に空所３４，３６内で設置され、必要な医療サービスは図１及び図３に示すように、柱４０、４２から患者に提供される。病状が中程度の患者の場合には、任意に柱４０、４２を空所３４、３６の外へ移動しても良い。病状が重い患者の場合には、柱４０、４２は通常空所３４、３６の外へ移動されベッド４８の横に配置されるため、例えば図２及び図４に示すように、多数の医療サービスや他の医療機器を患者が利用することができるようになる。柱４０、４２から医療サービスを必要としない病状が軽い患者の場合には、柱４０、４２は妨げにならないように通常収納位置に置かれる。
【００１５】
ヘッドウォールユニット３２は、柱４０、４２の関連部分を覆う閉位置と、柱４０、４２の関連部分にアクセスできる開位置との間で移動可能であるドア５８を複数有する。病状が軽い患者の場合には、ドア５８は通常閉じられて柱４０、４２を見えないように隠す。例示する実施例では、各ドア５８はヘッドウォールユニット３２に関連する中央パネル６０の後で水平に摺動する。ある代替の実施例では、ドア５８は関連する中央パネル６０の前で水平に摺動する。他の代替の実施例では、ドア５８が閉位置及び開位置の間で動くときには、上がるか、下がるか、回転する。ドア５８がパネル６０の後ろで水平に摺動する例示する実施例では、各パネル６０の大きさは、その後ろに関連ドア５８を両方収納するに十分なものとされる。本明細書の開示の範囲内では、ヘッドウォールユニット３２はドア５８が摺動するトラック或いは他の表面（図示しない）を有する。また本明細書の開示の範囲内では、ローラー（図示しない）がドア５８に結合されて、ドア５８が閉位置と開位置との間で移動するにつれてローラーがトラック或いは表面上で転がる。
【００１６】
例示する実施例では、三つのドア５８が空所３４に関して空所３４の上部、中部、及び下部を覆い、また三つのドア５８は空所３６に関して、空所３６の上部、中部、及び下部を覆う。代替の実施例では、各空所３４、３６を覆うため三つより多い、又は少ないドアが設けられている。あるいはは、各ドアを閉位置に施錠するために各ドア５８にはロッキング機構（図示しない）が取り付けられており、患者或いは他の権限がない人がドア５８を開いて柱４０、４２に取り付けられている器具にアクセスすることを防止する。
【００１７】
ヘッドウォールユニット３２は、中央パネル６０が結合しているフレーム（図示しない）を有する。ヘッドウォールユニット３２は、垂直後部壁５９及び後部壁から垂直に延長する一組の外側壁６１など、他のパネルや壁も有する。更に、図８に示すように、ヘッドウォールユニット３２は空所３４、３６の下にある水平な壁６３と、壁６１から離れているが平行である内側壁６５とを有する。空所３４、３６は壁５９、６１、６３、６５により部分的に画定される。壁５９、壁６１、６３、６５のうちの一つ以上の壁はヘッドウォールユニット３２のフレームに結合している。例示する実施例では、ヘッドウォールユニット３２は、病室の床６９と中央パネル６０に関連するヘッドウォールユニット３２の一部との間に配置される下部分６７を含む。補助医療サービスアウトレット７１のセットは、下部分６７に結合している。更には、空所３４、３６が画定されるヘッドウォールユニット３２部分は、下部分６７から横方向外側にある床６９の部分の上に張り出すように画定される。
【００１８】
前述の通り、柱４０、４２は患者看護装置を保持する。図１及び図２に示されるように、柱４０は患者看護装置が取り付けられていたり、取り外されたりするように構成されているのに対して、柱４２はその中に患者看護装置が組み込まれている。例示する実施例では、柱４０は垂直なアーム６２と、例えば、クランプ、ブラケット、ラッチ、グリッパー、フックなどの適切な結合器により垂直アーム６２に結合されているＩＶラック６４とを有する。ＩＶラック６４は点滴袋６８が結合されるフック６６を一つ以上有し、注入ポンプ７２が結合されるポール７０を一つ以上有する。本明細書の開示の範囲内では、ＩＶポールに結合することが可能なあらゆる種類の医療装置もＩＶラックに結合される。図９及び図１０に示すように、一つ以上の医療サービスアウトレット７３が柱４０のアーム６２に取り付けられている。アウトレット７３を介して利用することができるサービスは、電力及びデータ転送などの電気サービス、または医療ガス或いは吸引などの気体を用いたサービス（pneumatic services）である。図９に示すように、電力はアウトレット７３の一つから注入ポンプ７２に供給される。
【００１９】
例示する実施例では、柱４２は垂直アーム７４と、アーム７４に結合しているハウジング７６とを有する。ハウジング７６の上部分には表示ディスプレイスクリーン７８が結合されて、複数の医療サービスアウトレット８０はハウジング７６の下部分に結合している。アウトレット８０を介して提供されるサービスは、アウトレット７３から提供される電気及び／又は気体式サービスと同様のものを含む。図５〜図７に示すように、サービスデリバリーライン８２は、各アウトレット８０から、柱４２のハウジング７６及びアーム７４と、天井ユニット３８とを介して配線してある。更に、図７に示すように、サービスデリバリーライン８４は、各アウトレット７３から、柱４０のアーム６２と、天井ユニット３８とを介して配線してある。更に、ライン８２、８４は、天井ユニット３８の中心部分の上に天井に形成されている開口８６を介して天井４６に配線されている。
【００２０】
図２に示すように、柱４０はアーム６２が結合されている可動台８８を有し、柱４２はアーム７４が結合されている可動台９０を有する。いくつかの実施例では、アーム６２とＩＶラック６４（或いはアーム６２に結合している他のあらゆる患者看護装置）とは、可動台８８に対して垂直軸の周りで図２の矢印９２で示す第一方向と、図４の矢印９４で示す第二方向とに回転可能である。他の実施例では、アーム６２は可動台８８に対して固定されるが、ＩＶラック６４（或いは他の患者看護装置）が結合する結合器はアーム６４に対して方向９２、９４に回転可能である。同様に、いくつかの実施例では、アーム７４とハウジング７６とは可動台９０に対して垂直軸の周りで第一方向と第二方向とに回転可能であり、他の実施例では、アーム７４は可動台９０に対して固定され、ハウジング７６は第一方向と第二方向とに垂直軸の周りでアーム７４に対して回転可能である。柱４０、４２の各垂直軸の周りでの様々な配置角度を図７に示す。例示する実施例では、ＩＶラック６４及びハウジング７６が回転する垂直軸は、関連する垂直アーム６２、７４を通り延長する。
【００２１】
システム３０の天井ユニット３８が、中心部分すなわちキャノピー９６と、一組の側部分すなわちトラック９８とを有しているのを、例えば、図１及び図２に示す。キャノピー９６はベッド４８の上にあるのに対して、トラック９８はキャノピー９６の横方向外側に配置されている。キャノピー９６には照明器１００のセットが組み込まれている。照明器１００は読書灯及び／又は診療用照明器を含む。いくつかの実施例では、読書灯は標準的な白熱電球或いは蛍光灯を備えているのに対して、診療用照明器は、例えば、ハロゲン電球及び色補正フィルタを備える。全ての種類の読書灯及び診療用照明器が、本明細書の開示では天井ユニット３８に含まれると考えられる。例示するキャノピー９６はディスプレイスクリーン１１０が中に組み込まれている。他の実施例では、ディスプレイスクリーン１１０は省略されている。スクリーン１１０には家族写真や自然の風景など様々なイメージを映しても良い。
【００２２】
天井ユニット３８は、ヘッドウォールユニット３２部分と結合している或いはその上にある第一端或いは近位端を有し、ヘッドウォールユニット３２から離れている遠位端を有する。従って、天井ユニット３８は、病室の天井４６に沿ってヘッドウォールユニット３２から延長している。図５及び図６に示すように、キャノピー９６はハウジング或いはフレーム１１２と、フレーム１１２に結合する化粧カバー或いはパネル１１４とを備える。フレーム１１２は、天井４６及び／又はヘッドウォールユニット３２に、例えば、ボルト、リベット、溶接、クランプ、タブなどの適切な結合器で結合する部分（図示しない）を含む。天井ユニット３８に保持される照明器１００及びスクリーン１１０を含む様々な装置はフレーム１１２に取り付けられて、パネル１１４に形成される適当な寸法の開口を通して延伸する。更には、図５及び図６に示すように、ライン８２、８４の部分がフレーム１１２及びカバー１１４の上に緩くはわされる。ライン８２、８４はフレーム１１２及び天井４６の間に提供される溝穴或いは空間１１６を介して配線されるか、或るいは、ライン８２、８４が通る天井ユニット３８の他の部分を配線される。
【００２３】
柱４０、４２が収納位置と様々な使用位置との間で移動すると、ライン８２、８４は天井ユニット３８に対して多少ランダムに動く。しかしながら、フレーム１１２及びカバー１１４はライン８２、８４部分の下に配置されて、このライン８２、８４部分を見えないように覆う。ライン８２、８４の他の部分は各柱４０、４２により見えないように覆われる。例示する実施例において、パネル１１４は横方向の側部分１１８を有して、横方向の側部分１１８は可動台８８、９０の部分の下にあり、図５では可動台９０の下にある。側部分１１８は、ライン８２、８４を見えないように更に覆う。ライン８２、８４はキャノピー９６の内側部分で十分に弛みがあるため、柱４０、４２は各収納位置から関連トラック９８の遠位端に隣接する最も離れた使用位置へ移動することを可能にする。本明細書の開示の範囲内では、一つ以上のラインさばき機構、例えば、引っ張り防止具、ホース、導管、ケーブル、ケーブル結束具、多関節式チャネルなどがライン８２、８４に結合されて、柱４０、４２が空所３４、３６内の各収納位置と空所３４、３６外の様々な位置とに移動するときに、ライン８２、８４の動作を案内或いは制御するか、ライン８２、８４の動作を望ましく制止する。
【００２４】
図５に示すように、例示する各トラック９８はトラック部材１２０と各部材１２０に結合されている化粧カバー或いはパネル１２２とを備える。例示のボルト１２３などの適切な結合器が、トラック部材１２０を、天井４６に結合するか、代替の実施例では、トラック９８の上にあるフレーム１１２部分に結合する。トラック部材１２０の近位端は各空所３４、３６の上にあり、可動台８８、９０がトラック部材１２０に沿って空所３４、３６内に移動することを可能にする。各柱４０、４２は複数のローラー１２４を備え、図５にも示すように、ローラーのいくつかは関連部材１２０の第一ローラー係合面１２６と係合して、他のローラーは関連部材１２０の第二ローラー係合面１２８と係合する。表面１２６、１２８はそれぞれ長形であり、病室の壁４４に対して概して垂直に延長する。従って、表面１２６は表面１２８と平行である。更に、表面１２６、１２８は共通の水平面にある。いくつかの代替の実施例では、トラック部材１２０は湾曲しており、他の代替の実施例ではトラック部材１２０は互いに平行でない。
【００２５】
可動台８８、９０は、それぞれ多少Ｕ字型であり、トラック部材１２０の下にある中心部分１３０を有し、各中心部分１３０から上方に延長する一組の側部分１３２を有し、トラック部材１２０は各側部分１３２の間に配置される。各ローラー１２４は、側部分１３２に結合してそこから片持ちばりのように関連するトラック部材１２０に向かい水平に延長する軸１３４を有する。図２、４、及び図６〜図８に示すように、柱４０、４２がトラック９８に沿って、例えば各空所３４、３６から離れる方向１３６に移動するときに、ローラー１２４が対応する表面１２６、１２８をたどって転がる。勿論、柱４０、４２が方向１３６と反対の方向にトラック９８に沿って移動するときも、ローラー１２４は表面１２６、１２８をたどって転がる。
【００２６】
本明細書の開示によると、ハウジング７６は、ディスプレイスクリーン７８の操作を制御するように電気回路系を保持する。いくつかの実施例では、ハウジングはディスプレイスクリーン１１０及び照明器１００の操作も制御するように電気回路系を保持する。別の実施例では、スクリーン７８、１１０及び照明器１００の操作を制御する回路系のいくつか或いは全てがヘッドウォールユニット３２の部分に収納される。そのような回路系は、例えば、マイクロプロセッサ或いはマイクロコントローラを一つ以上、入力及び出力回路系、信号条件回路系、信号変換（アナログからデジタルへ、及び／又はデジタルからアナログへ）回路系、電源調整回路系、メモリ回路系などを含む。更に、柱４２にはユーザーインターフェースが設けられており、ユーザーが指示を入力してデータを検索してスクリーン７８に表示することを可能にする。例示する実施例では、スクリーン７８はタッチスクリーンであり、例えば、図８に示すように柱４２のユーザー入力はスクリーン７８に表示されるユーザー入力ボタン１３８を備える。
【００２７】
いくつかの実施例では、ディスプレイスクリーン７８の操作を制御する電気回路は病院のコンピュータネットワーク或いはイーサネットに結合している。そのような実施例では、ネットワークで入手可能なあらゆる情報はディスプレイスクリーン７８で見ることができる。例えば、介護者はネットワークから患者の医療記録（例えば、検査室検査結果、医療診断、患者チャート、Ｘ線など）を検索してスクリーン７８で見ることができる。更に、バイタルサインデータ（例えば、心拍数、血圧、神経の活動、呼吸数、患者の体温、脈の酸素飽和度）及び患者看護装置の操作と関連するデータ（例えば、一つ以上の換気機、注入ポンプ、心電計、脳波計からのデータ）などの患者の診療現場データ（patient’s point-of-care data）をスクリーン７８に表示してもいい。従って、スクリーン７８と関連する回路系はスクリーン７８に表示される情報を指示する様々な種類のデータ信号を受信及び処理するようにプログラムされるか及び／又は構成されている。本明細書の開示の範囲内では、患者の治療に関連する全ての種類のデータがスクリーン７８に表示される。更に、本明細書の開示の範囲内では、スクリーン７８が同時に多数の種類のデータを、分割スクリーンフォーマットなどで表示する。更には、病院のコンピュータネットワークがインターネットに結合している実施例では、インターネットを介してアクセスできる情報もスクリーン７８に表示することができる。
【００２８】
垂直なアーム６２に取り付け可能及び取り外し可能な代替のＩＶラック１６４が図８〜図１０に示される。ＩＶラック１６４はＩＶラック６４と同様であり、従って、適当な場合にＩＶラック６４の部品と概して同様なＩＶラック１６４の部品を指示するのに同様の参照番号が使用される。ＩＶラック６４と同様に、ＩＶラック１６４は、例えば、クランプ、ブラケット、ラッチ、グリッパー、フックなどの適切な結合器でアーム６２に結合する。ＩＶラック１６４とＩＶラック６４との主な違いは、ＩＶラック１６４がポール７０の下端に結合している水平の板１４０を有することである。図８に示すように板１４０は一つ以上の開口或いはソケット１４２を有する。
【００２９】
ＩＶラック１６４を保持するためのアームアッセンブリ１４４は、垂直軸の周りを回転移動するためにベッド４８に結合しているアーム１４６と、アーム１４４に結合している水平板１４８と、板１４６から上方に延長する一組のポスト１５０とを含む。アーム１４６は、図８及び図９に示すようにＩＶラック１６４がアームアッセンブリ１４４に結合することが可能な位置で、板１４８とポスト１５０とを支持するようにベッド４８から横方向外方に延長する第一位置に移動可能である。垂直アーム６２及び可動台８８はトラック９８に沿って移動可能で、ＩＶラックを板１４８及びポスト１５０の上に配置する。更に、ＩＶラック１６４、或いはアーム６２とＩＶラック１６４との組合せは、アーム６２を通り延長する垂直軸の周りで回転可能であり、ソケット１４２がポスト１５０と並ぶようにＩＶラック１６４を配置する。図８及び図９に示すように、ＩＶラック１６４がアームアッセンブリ１４４の上に適当に配置されると、図８に示すように、ＩＶラック１６４は矢印１５２の方向に下げられ、そのためポスト１５０はソケット１４２に収容され、板１４０が板１４８の上に配置され、その結果ＩＶラック１６４はアームアッセンブリ１４４に結合される。
【００３０】
いくつかの実施例では、ＩＶラック１６４をアーム６２に結合する結合器はアーム６２に対して垂直に移動可能で、ＩＶラック１６４を上下させることができ、別の実施例では、アーム６２はＩＶラック１６４を上下させることを可能にする伸縮可能な部分を有する。或いは、ＩＶラック１６４はアーム６２から結合が解除されてアームアッセンブリ１４４の上に手動で下げられる。本明細書の開示の範囲内ではベッド４８の上部フレーム１５４がベッド４８の基部１５６に対して持ち上げられ、そのためポスト１５０が開口１４２に嵌り、板１４８が板１４０と係合するように移動する。いくつかの実施例では、板１４２或いは板１５０にあるラッチ、ポスト１５０を介して延長するピン、ポストにパチンと嵌るかねじ止めされるキャップ、板１４０、１４８を掴むクランプなどの更なる機構（図示しない）が設けられ、ＩＶラック１６４をアームアッセンブリ１４４に固定する。ＩＶラック１６４がアームアッセンブリ１４４に結合してアーム６２から結合が解除された後、図１０に示すようにアーム１４６は、ＩＶラック１６４がベッド４８の横に並んで支持される第二位置へ、ベッド４８に対して回転可能である。従って、ベッド４８及びベッド４８に結合されているＩＶラック１６４は、ベッド４８に支持されている患者から点滴ラインを外す必要がなく、病院中を搬送可能である。
【００３１】
図１１〜図１４に示すように、他の建築システム２３０は、システム３０のヘッドウォールユニット３２と天井ユニット３８とそれぞれと概して同様なヘッドウォールユニット２３２と天井ユニット２３８とを有する。従って、適用可能な場合、システム３０の部分と概して同様なシステム２３０の部分を指示するために同様の参照番号が使用される。システム２３０とシステム３０との違いの一つは、システム２３０のヘッドウォールユニット２３２が、各空所３４、３６の横方向の外にある一組の副空所２３４、２３６（図１２及び図１４を参照）を有することである。一組のドア２３５、２３７は、図１１に示すように、各空所２３４、２３６及びその中に収納されているあらゆる用品に手が届かない閉位置と、各空所２３４、２３６とその中に収納されている用品を利用可能な開位置との間で、それぞれ独立して移動可能である。例示する実施例では、ドア２３５、２３７は、閉位置と開位置との間で移動するときに各垂直軸の周りで回転する。いくつかの実施例ではドア２３５、２３７を閉位置で固定するための適切なロッキング機構が提供される。システム３０の場合と同様に、システム２３０のドア５８は空所３４、３６を開いたり閉じたりするように移動可能である。
【００３２】
図１１、１４、及び１４に示すように、ヘッドウォールユニット２３２は、一番下にある一組のドア５８の下に位置する一組の下部垂直パネル２１８に取り付けられている医療サービスアウトレット２１６を更に有する。ヘッドウォールユニット２３２は一組の下部ドア２２０をも有し、下部ドア２２０は、ドア２２０が関連するアウトレット２１６を覆う第一位置と、使用するためにアウトレット２１６が覆われていない開位置との間でそれぞれ移動可能である。本明細書の開示の範囲内で、システム３０はアウトレット２１６、パネル２１８、及びドア２２０を更に有する。いくつかの実施例では、補助のアウトレット７１及びアウトレット２１６がヘッドウォールユニットに含まれて、別の実施例ではその一つだけ或いは他のアウトレット７１、２１６のセットがヘッドウォールユニットに含まれる。
【００３３】
システム２３０とシステム３０との他の違いは、システム２３０の天井ユニット２３８のトラック１９８がシステム３０のトラック９８より幅が広いことである。従って、トラック１９８は、天井ユニット３８のキャノピー９６から横方向外方に延長するトラック９８よりも長く、天井ユニット２３８のキャノピー９６から横方向外方に延長する。各トラック１９８は化粧カバー或いはパネル２１０を有する。各パネル２１０は、第一長形溝穴２１２と第二長形溝穴２１４とを有する。例示する実施例では、溝穴２１２は溝穴２１４と平行である。各溝穴２１２は各柱４０、４２の関連可動台８８、９０の各側部分１３２を収容する。従って、カバー２１０に溝穴２１２を設けることでシステム２３０の柱４０、４２がパネル２１０に妨げられることなく、空所３４、３６内のそれぞれの収納位置と空所３４、３６の外の様々な位置との間で動くことを可能にする。
【００３４】
いくつかの実施例では、溝穴２１４は、補助空所２３４、２３６から外に移動される補助器具を支持するように構成されている各トラック部材（図示しない）の下に配置されて、別の実施例では補助器具は溝穴２１４の上に配置される。図１２に示す実施例では、プライバシーカーテン２４０は、空所２３６内にカーテン２４０が配置される収納位置から、空所２３６からカーテン２４０の大部分が引き出される使用位置に移動可能である。使用位置では、カーテン２４０は各溝穴２１４の上に配置されるトラック部材の概して全長から下方に垂れ下がる。例示のカーテン２４０は、軟質なカーテンパネル２４２と、複数のスライダ２４４と、複数のストランド２４６とを有する。各ストランド２４６はパネル２４２と各スライダ２４４との間に延在する。スライダ２４４は溝穴２１４の上に配置されているトラック部材に沿って移動可能である。従って、カーテン２４０が収納位置にあるときには、全てのスライダ２４４は空所２３６内にまとめられて、カーテン２４０が使用位置の時には、スライダ２４４は溝穴２１４の長さに沿って離して間隔をおいて配置される。
【００３５】
図１３に示す実施例では、プライバシーカーテン２５０は、関連する溝穴２１４から下方に使用位置へと延長可能であり、溝穴２１４を通り上方の収納位置へ引き込むことが可能である。カーテン２５０は、軟質のカーテンパネル２５２とパネル２５２の下部分に結合されている下部部材２５４とを有する。部材２５４はカーテン２５０に重みを与えて、図１３に示すように垂直に垂れ下がる構成からカーテン２５０が無駄に動くのを防止する。引き込むときにパネル２５２が巻き付けられて、延長するときにほどかれる回転可能な軸（図示しない）は溝穴２１４の上に配置されている。いくつかの実施例では、モータ（図示しない）が軸に結合されて、パネル２５２を巻き付けたりほどいたりする適当な位置に軸を回転するように操作される。このような実施例では、一つ以上のスイッチ、ボタン、レバーなどのユーザー入力が、モータを制御するためにヘッドウォールユニット２３２に手が届くように設けられる。別の実施例では、従来のブラインドが窓を覆うように引き下ろされるのと同様に、カーテン２５０は手動で延長したり引き込んだりして、関連する軸がばねによりブラインドを巻き上げるように操作される。
【００３６】
図１４に示す実施例では、補助ＩＶポール１６０は可動台１６２から下方に垂れ下がり、可動台１６２は各溝穴２１４の上に配置されたトラック部材（図示しない）に沿って摺動可能である。ポール１６０及び可動台１６２は、空所２３４内の収納位置と、空所２３４外のいくつかの使用位置との間で移動可能である。ＩＶバッグ６８を保持するために一つ以上のフック１６６がポール１６０に結合している。例示する実施例では、専用注入ポンプ１７２がポール１６０の下端に取り付けられている。代替の実施例では、注入ポンプ７２はポール１６０の他の部分に取り付け可能であり取り外し可能である。本明細書の開示の範囲内では、ＩＶポールに結合することが可能なあらゆる種類の患者看護装置が、ポール１６０に結合される。
【００３７】
カーテン２４０は空所２３６と関連しているように図１２に示されて、ポール１６０が空所２３４と関連しているように図１４に示されているが、本明細書の開示の範囲内では、カーテン、ＩＶポール、及び、診療用照明器、水ホース、吸引ホース、牽引装置など、他のあらゆる種類のトラック搭載補助器具（track-mounted auxiliary equipment）が、空所２３４、２３６のいずれかに関連付けられる。更に、本明細書の開示の範囲内では、後部壁２５９、側壁２６１、及び底部壁２６３など（図１４を参照）、空所２３４、２３６を結合しているヘッドウォールユニット２３２の様々な壁が、適切な寸法を有して、空所２３４、２３６がそこに収納されるトラック搭載器具を収容できる大きさであるように構成される。更に、溝穴２１４から延長したり引き込まれたりするカーテン２５０などの補助器具を有する実施例においては、空所２３４、２３６は中に収納棚を有しても良い。
【００３８】
ここで図１５及び図１６を参照すると、代替の建築システム３３０は、システム２３０のヘッドウォールユニット２３２と概して同様のヘッドウォールユニット２３２と、病院用ベッド４８の三側面の周りにエアカーテン２７０のセットが下方に向けられる天井ユニット３３８とを含む。例示する実施例では、エアカーテンのセットはベッド４８のフットエンド５２と側面５４、５６とに隣接する。エアカーテン２７０とベッド４８との間に設けられた適切な空間は介護者がその間に立つことを可能にする。エアカーテン２７０はベッド４８上の患者をある程度周りの環境から隔離できる。従って、エアカーテン２７０で境界をつけた患者の空間外の空中浮遊汚染物質を、患者がいる空間に入ることを防止できる。いくつかの実施例では、エアカーテン２７０を加熱するか及び／又は加湿して、患者の空間の温度及び湿度を制御する。このような実施例では、暖房装置（図示しない）及び／又は加湿装置（図示しない）は天井ユニット３３８或いはヘッドウォールユニット２３２、或いはその両方に収容される。
【００３９】
ファン、送風機、ポンプなどのエアカーテン発生装置２７２は図１５及び図１６に示すように天井ユニット３３８のキャノピー９６に収容されている。空気取り入れ口２７４がキャノピー９６のカバー１１４に形成され、エアフィルター２７６が取り入れ口２７４を覆い周りの環境の汚染物質を濾過する。エアカーテン発生装置２７２はキャノピー９６の中心チェンバー２７８に配置され、空気入口ダクト２８０が取り入れ口２７４からチャンバー２７８に延在している。空気出口ダクト２８２のネットワークは、チェンバー２７８から、天井ユニット３３８をわたり、側部分１９８の外部分に沿って、及びキャノピー９６前遠位部分及び部分１９８にも沿って延在する。図１６に示すように、ダクト２８０はいくつかのダクト２８２の上にある。システム３３０の例示する実施例では、複数の空気出口開口及び溝穴２８４は天井ユニット３３８の裏面の側部分及び前部の周辺部分に形成される。エアカーテン発生装置２７２を作動すると、空気が周囲の環境から各フィルター２７６、ダクト２８０、チャンバー２７８、ダクト２８２、及び開口２８４を通り移動して、エアカーテン２７０を形成する。
【００４０】
天井ユニット３３８或いはヘッドウォールユニット２３２、或いは両方に収容されるコントローラ（図示しない）は、エアカーテン発生装置２７２、暖房装置（存在すれば）、及び加湿装置（存在すれば）を制御するように作動する。ユーザーインターフェースは一つ或いは両方の柱４０、４２、或いはヘッドウォールユニット２３２に設けられる。ユーザーは、例えば、ファン速度（高、中、低）、気温、及び空気湿度などの作動パラメータを、ユーザーインターフェースを介してコントローラに入力する。更に、システム３３０は、例えば、ファン速度センサ、温度センサ、及びコントローラにフィードバックを提供してコントローラからの適当な指令がエアカーテン発生装置２７２に提供され得る湿度センサなど、様々なセンサと、暖房システムと、適切なときにこれらの装置の作動を調整する加湿システムとを有する。
【００４１】
本明細書の開示の一態様によると、図１７に示すように患者は環境が制御された病室５３２にある病院用ベッド５３４に横になっている。患者を覆っているのは使い捨ての暖房及び冷却ブランケット５３６である。ブランケット５３６は一組の暖房／冷却ホース５４０を介して、部屋５３２のヘッドウォール５４２内に収容される暖房及び冷却ユニット５３８に結合している。患者を冷やす場合には、ユニット５３８は、ホース５４０の一つからブランケット５３６へ冷却した空気或いは冷却した液体などの冷却媒体を提供して、他のホース５４０は冷却媒体がブランケット５３６を循環した後に冷却媒体をユニット５３８に戻すように作動する。患者を暖める場合には、ユニット５３８はホース５４０の一つからブランケット５３６へ暖めた空気或いは暖めた液体などの暖房媒体（heating medium）を提供して、他のホース５４０は暖房媒体がブランケット５３６を循環した後に冷却媒体をユニット５３８に戻すように作動する。ブランケット５３６に暖めた空気或いは冷却した空気を循環させる実施例では、患者に面するブランケット５３６の表面に孔が形成されて、ブランケット５３６内を循環させられる暖めた空気或いは冷却した空気の一部が孔を通り逃げて、患者を場合によって対流により暖めたり冷やしたりする。
【００４２】
ベッド５３４はペンダントコントローラ５４４を含み、患者はペンダントコントローラ５５４がロックアウトされてないときに暖房及び冷却ユニット５３８を所望のように制御するためにペンダントコントローラ５４４を使用する。いくつかの実施例では、ペンダントコントローラ５４４は、ベッドデッキの枢着、上昇、下降などの他のベッド機能を制御したり、及びテレビ、ラジオ、ナースコール等の部屋にある娯楽や通信機能を制御したりするのにも使用される。ベッド５３４は、制御パネル５４８を有するフットボード５４６を含み、制御パネル５４８はユニット５３８の操作を制御するように、介護者により使用されてさまざまなベッド機能の操作を制御して、様々な娯楽及び通信機能を制御するために使用される。コントロールパネル５４８は、ペンダントコントローラ５４４の一つ以上の機能をロックアウトするように介護者に使用される。例えば、介護者はペンダントコントローラ５４４がユニット５３８を作動する性能をロックアウトできる。
【００４３】
図１７に示すように、天井ユニット或いはオーバーヘッドキャノピー５５０は病室５３２の天井５５２にベッド５３４の上で結合している。キャノピー５５０は部屋５３２の環境を制御する様々なシステムを含む。例えば、キャノピー５３２は、オーバーヘッド温度センサ（図示しない）、オーバーヘッド空気性質センサ（図示しない）、オーバーヘッド空気清浄機（図示しない）、アロマテラピー機材（図示しない）、病室にいる他の人の存在を検出するための動作或いは近接センサ５５４、診療用照明器５５６、読書灯（図示しない）、及び以前に選択してある一つ以上の画像を表示するためのビデオスクリーン５５８を含む。そのような画像は自然の景色或いは他の静かな景色などを含むこともできる。そのようなイメージは、２４時間の中の適当な時間に、雲や太陽などの昼の画像から、月や星などの夜の画像に移行するイメージを含むこともできる。患者の家族の画像もスクリーン５５８に表示できる。
【００４４】
部屋５３２のいくつかの実施例では、部屋の照明器は昼から夜に変わるときに、ゆっくりと暗くなるように制御されている。更に、ふくろう、夜の鳥、コオロギ、及び木が風で揺れるような夜の音の録音が、オーバーヘッドキャノピー５５０内に収容されている音声装置で再生される。やがて、部屋の電気は完全に消されて、夜の音がフェードアウトする。部屋５３２の他の実施例では、ビデオスクリーン５５８と同様か少し大きなビデオスクリーンが部屋の壁、好ましくはベッド５３４のフットエンドに対面する壁に取り付けられる。そのような別の病室では、テレビ画像、インターネット画像、教育情報、患者のスケジュール、リラックスを促進するような画像、及びビデオ会議画像が選択されてビデオスクリーンに表示される。
【００４５】
ベッド５３４、ユニット５３８、及び天井ユニット５５０はそれぞれ自身の、このような装置と関連している様々な機能を監視及び制御するためのコントローラを有する。このようなコントローラはそれぞれ、例えば、一つ以上のマイクロプロセッサ、マイクロコントローラ、メモリ回路、入力及び出力回路、信号条件回路、信号変化回路、電源調整回路などを含む。本明細書の開示の範囲内では、ベッド５３４、ユニット５３８、及びキャノピー５５０の各コントローラが病院のコンピュータネットワークに接続されて、ネットワークとデータを交換する。いくつかの実施例では、ベッド５３４、ユニット５３８、及びキャノピー５５０を制御するためのパラメータは、部屋５３２からは離れて配置されているコンピュータにより入力される。従って、例えば、もし患者がユニット５３８及びブランケット５３６の暖房及び冷却機能の調節及び停止を要求するようなナースコールをした場合、コールに答えた看護師は患者に対する寒暖の度合いを、ブランケット５３６を介して調節することができる。
【００４６】
ここで、図１８〜図２０を参照すると、移動カート５６０は多少長方形の直立ペデスタル５６２、ペデスタル５６２の下に結合している四つの水平に延在する脚５６４（support legs）、及び対応する脚５６４の遠位端に結合されているホイール及びキャスター５６６のセットを含む。ペデスタル５６２は、図１８に最適に示すような前面５６８と図１９及び図２０に示す裏面５７０との間にごく小さい厚み寸法を有する。各脚５６４はペデスタル５６２に対して回転可能であり、図１８に示すようなペデスタル５６２の下から外に延長する第一位置と、図１８〜図２０に示すようなペデスタル５６２の下に押し込まれた第二位置との間で回転する。
【００４７】
脚５６４が第二位置にあるときには、脚５６４及びキャスター５６６は、ペデスタル５６２の底面積の完全に下及び底面積内に配置される。更に、脚５６４が第二位置にあるときには、脚５６４はペデスタル５６２の前面及び裏面５６８、５７０に対して概して平行に延長する。脚５６４が第一位置にあるときには、脚５６４の大部分はペデスタル５６２の底面積外に配置されて、脚５６４はペデスタル５６２の前面及び裏面５６８、５７０に対して概して垂直に延長する。脚５６４或いはペデスタル５６２のいずれかに適当なロッキング機構及び保持機構が設けられ、脚５６４を第一及び第二位置のそれぞれに固定及び維持する。床でのカート５６０の安定性は、脚５６４が第一位置にあるときのほうが、脚５６４が第二位置にあるときより大きい。
【００４８】
移動カート５６０は、図１９に示すように、手術室５７４のホイール付き病院用ベッド或いはストレッチャ５７４に結合可能で搬送可能であり、そこから集中治療ユニット室（図示しない）へと、図２０に示すように普通の病室５７８へと搬送される。勿論、部屋５７４、５７８は単に病室の例として示されており、従ってカート５６０はストレッチャ５７２と共に、ストレッチャ５７２が搬送されることがあるあらゆる病院内の場所に搬送することができる。カート５６０は、キャスター５６６が病院の床を滑るように脚５６４が第一位置にあるときには、カート単独でも病院中を搬送することができる。
【００４９】
病院にある資産追跡システム（図示しない）は、病院内に配置してある複数の送信機、受信機及び／又は送信機／受信機ユニット５７６（総称として「送信機／受信機ユニット５７６」と呼ばれる）を含む。図３６にはその様な一つの送信機／受信機ユニット５７６が示される。送信機／受信機ユニット５７６は、資産追跡システムに含まれるコンピュータなどの遠隔装置と協力して病院内にある移動カート５６０の所在を追跡する。従って、追跡される各カート５６０は送信機／受信機ユニット５７６（図示しない）を含み、送信機／受信機ユニット５７６が促す信号により、その付近にある一つ以上の送信機／受信機ユニット５７６に検出される信号を発信する。
【００５０】
カート５６０は前述のとおり病院用ベッド５７２に結合可能である。カート５６０は、例えば、手術室５７４及び集中治療室（図示しない）にあるアームアッセンブリ５９８にも結合可能である。アームアッセンブリ５９８は、図１９に示すように部屋５７４など、各々の部屋の天井から延長する。カート５６０がアームアッセンブリ５７８に結合されると、カート５６０は各部屋の天井から垂れ下がり、カート５６０のキャスター５６６が各部屋の床から離れている。カート５６０がベッド５７２に結合しているとき、キャスター５６６も各部屋の床から離れている。本明細書の開示の範囲内では、カート５６０が、あらゆる建築システム３０、２３０、３３０の柱４０、４２、及び図１〜図１６を参照して説明されるこれらの代替物に結合するか組み込まれる。
【００５１】
カート５６０は、ベッド５７２に含まれる結合器（図示しない）と、アームアッセンブリ５７８に含まれる結合器（図示しない）と、柱４０、４２に含まれる結合器（図示しない）と、接続する適切な結合器（図示しない）とを含む。適切な結合器は、例えば、フック、クリップ、ポスト、ラッチ、ソケット、レール、チャネル、溝穴、バンド、ストラップ、フィンガ、フランジ、出張り、支持足、ワイヤ、磁石、板など、或いはこれらの組合せを含む。カート５６０は図１８及び図１９に示すようにペデスタル５６２の上部に追加されるハンドル５８０を含む。介護者はハンドル５８０を掴み、病院の床上でカート５６０を操作して、カート５６０をベッド５７２、アームアッセンブリ５７８、或いは柱４０、４２に取り付ける間及び取り外す間などに運ぶ。
【００５２】
部屋５７８のヘッドウォール５８２は、図２０に示すようにカート５６０を収容するように構成されている空所５８４を含むように形成されている。更に、カート５６０が柱４０、４２に結合している或いは含まれるとき、及び柱４０、４２が収納位置へ移動されるときに、カート５６０は空所３４、３６（或いは空所２３、２３６）に収容される。カート５６０が空所５８４に配置されるときに、脚５６４は第二位置に配置されて、キャスター５６６は空所５８４の下にある突起面５８６に置かれる。カート５６０のペデスタル５６２は図１８〜図２０に示すように一つ以上のＩＶポール５８８を保持するように構成されている。図２０に示すように、空所５８４はカート５６０及びそれに結合されているあらゆるＩＶポール５８８を収容するする十分な高さを有している。フック５８７は点滴バッグ６８を取り付けるためにＩＶポール５８８の上部に設けられる。
【００５３】
図１８に最適に示されるように、ペデスタル５６２は、様々な患者監視及び患者治療モジュール或いは装置５９０を保持するのに適応している凹部及びコンパートメント５８９を含む。この様な患者看護装置は、例えば、注入ポンプ、換気制御ユニット、ガス制御ユニット、バイタルサインモニターなどを含む。いくつかのモジュール５９０は、センサラインを介して患者に結合されて、患者の様々な生理学的状態及びバイタルサインを監視する。いくつかの実施例では、カート５６０は、モジュール５９０及びカート５６０にある受信機／送信機ユニットと接続する車載コンピュータシステムを含む。この様な実施例では、モジュール５９０からの患者データは、受信機／送信機ユニットを介して病院ネットワークに送信されるか、或いはネットワークと有線或いは光学接続ができるまで患者データはコンピュータシステムに記憶される。コンピュータシステムがネットワークに通信可能に結合されると、病院内でカート５６０から離れた位置に突き止められた介護者は、遠隔コンピュータ端末でネットワークにアクセスすることができて、例えば、カート５６０が保持するモジュール５９０に監視されている患者の状態を得る。カート５６０は、カート５６０が保持するモジュール５９０及びコンピュータシステムなどのあらゆる電気部品に電力を供給する電池（図示しない）を含む。
【００５４】
ペデスタル５６２はサービスデリバリーポート５９２を含むように形成される。酸素及び他の種類の医療ガスを含むタンク（図示しない）は、ペデスタル５６２の内側部分に配置される。いくつかの実施例では、そのようなタンクはカート５６０が保持する換気システムに含まれる。このような実施例では、図２０に一つ示してあるホース５９４は各ポート５９２に結合されて、ポート５９２から患者或いは関連する医療装置のどちらかへと延長する。カート５６０は、患者に集中治療を提供するために関連している、薬品注入装置を含む他の種類の医療装置を保持するように構成されている。そのような装置は、時には、ＬＳＴＡＴ（Life support for Trauma and Transport）（外傷及び搬送用生命維持）装置と呼ばれる。カート５６０は患者に集中治療を提供するのに必要な殆どの或いは全ての医療装置を保持しているために、またカート５６０は患者と共に病院内で搬送されるために、点滴ライン、換気ホース、センサラインなどを患者から取り外したり取り付けたりすることを患者の搬送前後に行う必要が回避され、また患者を病院内で搬送するときに多数のホイール付きスタンド或いはカートを管理する必要も回避される。
【００５５】
図２１〜図２３を参照すると、天井に取り付けられたオーバーベッドテーブルアッセンブリ６５６は、病室の天井４６に結合している天井ユニット或いはハブユニット６５８と、ハブユニット６５８に結合しているアームアッセンブリ６６０と、アームアッセンブリ６６０に結合しているオーバーベッドテーブル６６２と、テーブル６６２の裏面に結合されて下方に延長する患者治療ハウジング６６４とを含む。代替の実施例では、ハウジング６６４はアームアッセンブリ６６０に結合して、少なくとも部分的にはテーブル６６２の下に配置される。図４０に示すように、ハブユニット６５８は円錐台形の環状上部分６６６と、円盤のような形の環状下部分６６８と、部分６６６、６６８の間に画定される環状溝穴６７０とを含む。ハブユニット６５８は下部分６６８に結合されてそこから光を直接下方に照射するように配置された、複数の検査用及び読書灯６７２を更に含む。代替の実施例では、ハブ５６８は環状の形以外の、楕円形、多角形（例えば、四角、長方形、三角形など）などの形を有している。
【００５６】
図２１に示すように、アームアッセンブリ６６０は溝穴６７０から水平に延長する第一アーム６７４と、第一アーム６７４の遠位端６７８から垂直に下方に延長する第二アーム６７６とを含む。ハブユニット６５８は、ハブユニット６５８の部分６６６、６６８を相互に接続する軸アッセンブリ（図示しない）を含む。第一アーム６７４の近位端（図示しない）は垂直軸６８０の周りで回転動作をするために軸アッセンブリに結合している。図２１及び図２２に示すように、垂直軸６８２の周りで回転動作をするために、テーブル６６２及びハウジング６６４はアーム６７６の下端に結合している。或いは、テーブル６６２及びハウジング６６４はアーム６７６に対して固定されて、アーム６７６は軸６８２の周りで回転するようにアーム６７４に結合している。
【００５７】
第二アーム６７６、テーブル６６２、及びハウジング６６４は、図２３に示すように、病院用ベッド６８４の第一側面に位置づけられる第一位置と、病院用ベッド６８４の第二側面に位置づけられる第二位置との間で移動可能である。第一位置と第二位置との間で動くときに、アーム６７６、テーブル６６２、及びハウジング６６４は、図２３に示すような曲がったダブルヘッド矢印６８８が示す弓形の経路に沿って、ベッド６８４のフットエンド６８６を取り囲んで移動する。第一アーム６７４は、第一と第二位置との間で移動するときに、ハウジング６６４がベッド６８４のフットエンドに接触しないように、十分な長さを有する。アッセンブリ６５６は、アームアッセンブリ６６０及びテーブル６６２を第一及び第二位置に固定する適切なロッキング機構を含む。テーブル６６２は、第一及び第二位置にあるときには、アーム６７６から水平に片持ちばりのように延長して、ベッド６８４に支持されている患者の膝の上に一部配置される。いくつかの実施例では、アッセンブリ６５６は、テーブル６６２及びハウジング６６４の垂直位置をアーム６７６に対して調節するように作動する駆動機構を含む。
【００５８】
アッセンブリ６５６はテーブル６６２の上面に形成される凹部にある受話器を有する電話６９０を含む。アッセンブリ６５６は娯楽及び制御パネル６９２も含み、図４０及び図４１に示すように娯楽及び制御パネル６９２はテーブル６６２の上でアーム６７６から水平に延長するポスト６９４を通じてアームアッセンブリ６６０のアーム６７６に結合している。例示するパネル６９２は、患者が、例えば、部屋の電気、部屋の温度、テレビ機能、ナースコール機能などを制御することが可能なタッチスクリーンである。パネル６９２は、例えば、テレビ画像、インターネット画像、教育情報、患者のスケジュール、患者の請求書情報、ビデオ会議画像など、様々な画像を表示するようにも作動可能である。上述の制御機能及び娯楽機能のあらゆる組合せを有する制御パネルは本明細書の開示の範囲内である。電話６９０は電話をするために従来の方法で使用される。
【００５９】
図２２に示すように、複数の医療サービスアウトレット６９６及び複数の患者監視モジュール６９８がハウジング６６４の端面７００に結合している。モジュール６９８は並列状態で端面７００の上部分に沿って配置されて、医療サービスアウトレット６９６は並列状態でモジュール６９８の下に配置される。各モジュール６９８は、モジュール６９８及び患者に結合している患者データライン（図示しない）を介して患者データ信号を受信して、患者の様々な生理学的な状態を監視する。監視される患者の条件は、体温、心拍数、血液の酸素投与、呼吸、脳活動度などを含んでも良い。アウトレット６９６が提供するサービスは、例えば、医療ガス、真空及び電力を含むことが可能である。アウトレット６９６は関連するサービスをアウトレット６９６に通されるライン（図示しない）を通じて受ける。ラインは、病室の天井から、ハブユニット６５８を通り、アーム６７４、６７６の内側部分を通り、テーブル６６２の開口を通り、ハウジング６６４の内側部分へ通される。アウトレット６９６及びモジュール６９８は、アッセンブリ６５６が第一位置及び第二位置のいずれかにあるときに、概してベッド６８４に横たわる患者の手が届かないようにハウジング６６４に配置されている。
【００６０】
本明細書の開示では、テーブル６６２及び／又はハウジング６６４、及びハウジング６６４と関連するアウトレット６９６及びモジュール６９８が、他の種類のアームアッセンブリ或いは柱により病室の天井からつり下げても良いと考えられる。本明細書の開示の範囲内では、例えば、テーブル６６２及び／又はハウジング６６４が、前述のいずれかの建築システム３０、２３０、３３０の柱４０、４２に結合するか含まれる。このような実施例では、テーブル６６２或いはその一部は、水平軸の周りで回転することなどで上に跳ね上がり、その結果テーブル６６２が、関連のヘッドウォールユニット３２、２３２の関連の空所３４、３６、２３４、２３６内に収納するために、概して垂直の配向に配置される。テーブル６６２と関連する柱４０、４２が関連する空所３４、３６、２３４、２３６から外へ移動されると、テーブル６６２は使用時のときのように概して水平の向きに下げられる。
【００６１】
特定の実施例を参照して様々な装置及びシステムを詳細に説明したが、添付の請求の範囲に記載され画定される本発明の範囲及び精神の内に、それぞれの装置及びシステムの多数の変更例及び変形例が存在する。
【図面の簡単な説明】
【００６２】
【図１】図１は、本明細書の開示による患者の病気の激しさのレベルに適応できる建築システムの斜視図であり、患者が休んでいる病院用ベッドの後ろのヘッドウォールユニットと、ヘッドウォールユニットから延長している天井ユニットと、病院用ベッドの上に配置される天井ユニットと、ヘッドウォールユニットの第一空所に配置されたＩＶラックと、ディスプレイスクリーン及びヘッドウォールユニットの第二空所に配置されるいくつかの医療サービスアウトレットを有するハウジングとを示す。
【図２】図２は、図１と同様の斜視図であり、第一空所から外に移動された第一柱を示し、第一柱に保持されるＩＶラックが病院用ベッドの第一側面の横に並んで配置されて、第二空所から外に移動された第二柱を示し、第二柱の一部として含まれるハウジングが病院用ベッドの第二側面の横に並んで配置される。
【図３】図３は、図１の建築システムの一部の平面図であり、第一柱と第二柱がヘッドウォールユニットの第一及び第二空所の各々に収容されるのを示し、病院用ベッドのヘッドエンドがヘッドウォールユニットに近接して配置されるのを示す。
【図４】図４は、図３と同様の平面図であり、第一柱及び第二柱がヘッドウォールユニットの第一及び第二空所から外に移動されたのを示し、病院用ベッドがヘッドウォールユニットから十分離れて移動されているのを示し、病院用ベッドのヘッドエンドとヘッドウォールユニットとの間に介護者が立つことを可能にする。
【図５】図５は、図１の建築システムの一部の横断面図であり、第二柱のローラーが天井ユニットのトラックに係合するのを示し、各医療サービスアウトレットから延長して第二柱を通り天井ユニットを通る医療サービスライン（波線）を示す。
【図６】図６は、図１の建築システムの一部の垂直断面図であり、第二柱はヘッドウォールユニットに近接する第一位置（実線）と、ヘッドウォールユニットから離れている第二位置（波線）との間で移動可能であることを示し、医療ラインが天井ユニットの中心領域に通されて第二柱の第一と第二位置との間の動きに対応することを示す。
【図７】図７は、図１の建築システムの一部の平面図であり、第一及び第二柱をいくつかの位置に示し、医療ラインの天井ユニットの中心領域から第一及び第二柱への配線を示す。
【図８】図８は、図１の建築システムの斜視図であり、底部の板を有するＩＶラックを保持している第一柱を示し、底部の板は、病院用ベッドのベッドフレームから延長する支持アームの遠心端に取り付けられた一組の直立ポストに結合するように配置されている。
【図９】図９は、図８の建築システムの側面図であり、直立ポストの上でＩＶラックを支持する第一柱（実線）と、ヘッドウォールユニットの第一空所内でＩＶラックを支持する第一柱（実線）とを示す。
【図１０】図１０は、図９と同様の側面図であり、第一柱から外されて、病院用ベッドに結合して病院用ベッドと搬送されるＩＶラックを示す。
【図１１】図１１は、本明細書の開示による建築システムの第一代替実施例の斜視図を示し、第一及び第二柱から横に外へ補助装置を支持するための側部延長部と、第一柱を覆う第一組のドアパネルと、様々な量で開き第二柱の様々な部分を部分的に見せる第二セットのドアパネルとを有する天井ユニットを示す。
【図１２】図１２の建築システムの一部の斜視図であり、ヘッドウォールユニットの補助空所から外に動かされ、天井ユニットの側部延長部の一つから垂れ下がるプライバシーカーテンを示す。
【図１３】図１３は、図１２と同様の斜視図であり、天井ユニットの側部延長部の一つから下方に延びるプライバシーカーテンの代替例を示す。
【図１４】図１４は、図１２及び図１３と同様の、図１１の建築システムの別の部分の斜視図であり、ヘッドウォールユニットの補助コンパートメントから移動されて、天井ユニットの側部延長部の一つからつり下がっている補助ＩＶポールを示す。
【図１５】図１５は、本明細書の開示による建築システムの第二代替例の斜視図であり、天井ユニットの外周部分に形成されている複数の開口を示し、エアカーテン生成装置（点線）が複数の開口から空気を送り出し病院用ベッドのフットエンドと向かい合う両側部とに沿って垂直なエアカーテンを形成するように作動しているのを示す。
【図１６】図１６は、図１５の天井ユニットの底部平面図であり、ファンと空気が動き複数の開口に届く通路のセットとを点線で示す。
【図１７】図１７は、環境を制御した病室の斜視図であり、部屋の中の病院用ベッドに支持される患者と、患者の一部を覆い、病室のヘッドウォールに収納される温度調節ユニットにホースを介して結合される使い捨て温度調節ブランケットと、病院用ベッドの上に病室の天井に結合している環境制御キャノピーを示す。
【図１８】図１８は、本明細書の開示による移動カートの斜視図であり、いくぶん長方形の直立ペデスタルを有する移動カートを示し、ペデスタルはその前面と裏面との間に割と薄い深さの寸法を有し、移動カートは、ペデスタルの底部に結合している四つの水平に延長する脚と、脚の遠心端に結合しているキャスターのセットとを備え、各脚はペデスタルに対して各垂直軸の周りで、ペデスタルの下から外に延長する第一位置（実線）とペデスタルの下にしまい込んである第二位置（点線）との間で枢動可能である。
【図１９】図１９は、第一病室の側面図であり、病院用ベッドのヘッドエンドに取り付けられた図１８の移動カートと、図１８の移動カートのようにアームアッセンブリで部屋に天井懸垂型としてある第二移動カートと、二つの移動カートの脚がそれぞれの第二位置にあり、第二移動カートの全てのキャスターが部屋の床から離れているのを示す。
【図２０】図２０は、第二病室の側面図であり、移動カート（点線）が病室のヘッドウォールに形成された空所（点線）に配置されているのを示す。
【図２１】図２１は、病室の床に支持されている病院用ベッドと病室に天井懸垂型としてあるオーバーベッドアッセンブリの斜視図であり、オーバーベッドテーブルアッセンブリは、病院用ベッド上の天井に結合しているハブユニットと、ハブユニットに結合されてそこから下方へ延長するアームアッセンブリと、アームアッセンブリの垂直アームに結合している娯楽及び制御パネルと、娯楽及び制御パネルの下の垂直アームに結合しているオーバーベッドテーブルと、オーバーベッドテーブルに結合している電話器とを含む。
【図２２】図２２は、図４０のオーバーベッドテーブルアッセンブリの一部の斜視図であり、オーバーベッドテーブルアッセンブリは、オーバーベッドテーブルの下面に結合しているサービスデリバリーハウジングと、サービス提供ハウジングの端面にある複数の医療サービスアウトレットとを含む。
【図２３】図２３は、病院用ベッドと図２２のオーバーベッドテーブルアッセンブリの平面図であり、オーバーベッドテーブルが患者のひざの上に病院用ベッドの第一側面から延長する第一位置（実線）と、オーバーベッドテーブルが患者のひざの上にベッドの第二側面から延長する第二位置（点線）との間でアームアッセンブリが移動するのを示し、アームアッセンブリが第一位置と第二位置との間で移動するにつれてサービスデリバリーハウジングがベッドのフットエンドを回り移動するのを示す。
【図１】
2005515800.tif 000003
【図２】
2005515800.tif 000004
【図３】
2005515800.tif 000005
【図４】
2005515800.tif 000006
【図５】
2005515800.tif 000007
【図６】
2005515800.tif 000008
【図７】
2005515800.tif 000009
【図８】
2005515800.tif 000010
【図９】
2005515800.tif 000011
【図１０】
2005515800.tif 000012
【図１１】
2005515800.tif 000013
【図１２】
2005515800.tif 000014
【図１３】
2005515800.tif 000015
【図１４】
2005515800.tif 000016
【図１５】
2005515800.tif 000017
【図１６】
2005515800.tif 000018
【図１７】
2005515800.tif 000019
【図１８】
2005515800.tif 000020
【図１９】
2005515800.tif 000021
【図２０】
2005515800.tif 000022
【図２１】
2005515800.tif 000023
【図２２】
2005515800.tif 000024
【図２３】
2005515800.tif 000025
【手続補正書】
【提出日】平成16年2月6日(2004.2.6)
【手続補正１】
【補正対象書類名】図面
【補正対象項目名】全図
【補正方法】変更
【補正の内容】
【図１】
2005515800.tif 000026
【図２】
2005515800.tif 000027
【図３】
2005515800.tif 000028
【図４】
2005515800.tif 000029
【図５】
2005515800.tif 000030
【図６】
2005515800.tif 000031
【図７】
2005515800.tif 000032
【図８】
2005515800.tif 000033
【図９】
2005515800.tif 000034
【図１０】
2005515800.tif 000035
【図１１】
2005515800.tif 000036
【図１２】
2005515800.tif 000037
【図１３】
2005515800.tif 000038
【図１４】
2005515800.tif 000039
【図１５】
2005515800.tif 000040
【図１６】
2005515800.tif 000041
【図１７】
2005515800.tif 000042
【図１８】
2005515800.tif 000043
【図１９】
2005515800.tif 000044
【図２０】
2005515800.tif 000045
【図２１】
2005515800.tif 000046
【図２２】
2005515800.tif 000047
【図２３】
2005515800.tif 000048
【国際調査報告】
2005515800.tif 000049
2005515800.tif 000050
2005515800.tif 000051
2005515800.tif 000052
2005515800.tif 000053
2005515800.tif 000054